(57)【特許請求の範囲】
【請求項１】
マルチキャリア信号を送信する方法であって、
前記信号は、前記時間周波数空間におけるシンボルを含む前記オフセット直交振幅変調ＯＱＡＭのタイプであり、
前記シンボルは、
パイロットシンボルと、
プリコーディングシンボルと、
他のシンボルと、
のうちの１つであり、
該方法は、
前記パイロットシンボルが前記受信機によって受信されたとき、該パイロットシンボルの前記内部干渉が所定の離散値集合の中からの１つの値を有するように強制的にするよう前記プリコーディングシンボルが選択され、前記集合が、０と異なる少なくとも１つの要素を含む、
ことを特徴とする、マルチキャリア信号を送信する方法。
【請求項２】
前記シンボルは、実数値シンボルを変調することによって形成され、及び／又は前記内部干渉は、前記復調信号の虚部に対応する、請求項１に記載の送信方法。
【請求項３】
前記オフセット直交振幅変調は、フィルタバンクマルチキャリアオフセット直交振幅変調ＦＢＭＣ／ＯＱＡＭ又はＯＦＤＭ／ＯＱＡＭのうちの一方である、請求項１又は２に記載の送信方法。
【請求項４】
前記プリコーディングシンボルの前記選択は、次の基準、すなわち、
前記プリコーディングシンボルの前記送信電力が削減されることと、
前記パイロットシンボルの前記受信電力が増加されることと、
前記２つの基準の間のトレードオフと、
のうちの少なくとも１つに従って行われる、請求項１〜３のいずれか１項に記載の送信方法。
【請求項５】
前記基準は、前記送信機と前記受信機との間でシグナリングされ、及び／又は
前記所定の離散値集合の前記構成は、前記送信機と前記受信機との間でシグナリングされる、請求項１〜４のいずれか１項に記載の送信方法。
【請求項６】
前記所定の離散値集合は、複数の所定の値集合のうちの１つであり、
前記集合の前記選択は、前記リンク状態に従って行われ、及び／又は
前記複数の所定の値集合間の切り替えの前記方策は、前記リンク状態に従って前記送信機と前記受信機との間でシグナリングされる、請求項１〜５のいずれか１項に記載の送信方法。
【請求項７】
前記リンク状態は、次のパラメータ、すなわち、前記送信機と前記受信機との間の信号対雑音比と、信号対干渉比と、チャネル品質インジケータとのうちの少なくとも１つを考慮に入れる、請求項１〜６のいずれか１項に記載の送信方法。
【請求項８】
プリコーディングシンボルは、前記時間周波数空間において前記パイロットシンボルを囲むシンボルの前記第１のリングに属する、請求項１〜７のいずれか１項に記載の送信方法。
【請求項９】
請求項１〜８のいずれか１項に記載の方法によって送信されたマルチキャリア信号を受信する方法であって、
チャネル推定が、パイロットシンボルに基づいており、
前記時間周波数空間内の座標ｍ０，ｎ０における受信された前記パイロットシンボルは、
【数１】
0006001806.tif 000039
であり、ここで、
【数２】
0006001806.tif 000040
は、前記送信された実数パイロット信号であり、Ｘは、前記内部干渉であり、
【数３】
0006001806.tif 000041
は、加法雑音であり、
該方法は、チャネル推定が、以下のステップ、すなわち、
（ｉ）前記チャネルの電力を推定するステップと、
（ｉｉ）前記受信されたパイロットシンボルの電力を、該パイロットシンボルの電力をステップ（ｉ）の前記推定されたチャネルの電力によって除算することによって推定するステップと、
（ｉｉｉ）前記パイロットシンボルの虚部の値を、前記パイロットシンボルの前記既知の値
【数４】
0006001806.tif 000042
と、ステップ（ｉｉ）の結果とに基づいて、所定の離散値集合の中からの１つの値Ｘとして認識するステップと、
（ｉｖ）前記チャネル係数
【数５】
0006001806.tif 000043
を、前記受信されたパイロットシンボルに基づいて、前記式
【数６】
0006001806.tif 000044
に従って推定するステップと、
によって実行されることを特徴とする、請求項１〜８のいずれか１項に記載の方法によって送信されたマルチキャリア信号を受信する方法。
【請求項１０】
シンボルは、前記信号を複素数値シンボルに復調することによって形成され、及び／又は
前記内部干渉は、前記復調信号の虚部に対応する、請求項９に記載の受信する方法。
【請求項１１】
前記チャネルの電力
【数７】
0006001806.tif 000045
は、前記パイロットシンボルを囲むデータシンボルの前記受信電力を平均することによって推定される、請求項９又は１０に記載の受信する方法。
【請求項１２】
前記受信されたパイロットシンボルの電力は、該パイロットシンボルの電力を、前記式
【数８】
0006001806.tif 000046
に従って、ステップ（ｉ）の前記推定されたチャネルの電力によって除算することによって推定される、請求項９〜１１のいずれか１項に記載の方法。
【請求項１３】
前記パイロットシンボルの前記値及び前記時間周波数空間におけるロケーションは、前記マルチキャリア信号の受信を行うことを意図した少なくとも１つの受信機に知られている、請求項９〜１２のいずれか１項に記載の方法。
【請求項１４】
マルチキャリア信号を送信する装置であって、
前記信号は、前記時間周波数空間におけるシンボルを含む前記オフセット直交振幅変調ＯＱＡＭのタイプであり、
前記シンボルは、
パイロットシンボルと、
プリコーディングシンボルと、
他のシンボルと、
のうちの１つであり、
該装置は、
前記パイロットシンボルが前記受信機によって受信されたとき、該パイロットシンボルの前記内部干渉が所定の離散値集合の中からの１つの値を有するように強制的にするよう前記プリコーディングシンボルを選択するモジュールを備え、前記集合が、０と異なる少なくとも１つの要素を含む、
ことを特徴とする、マルチキャリア信号を送信する装置。
【請求項１５】
コンピュータプログラムであって、コンピュータ上で実行されると、該コンピュータが請求項１〜１３のいずれか１項に記載の方法を実行することを可能にするコンピュータプログラムコードを含む、コンピュータプログラム。
【発明の詳細な説明】
【技術分野】
【０００１】
本発明は、マルチキャリア信号を送信する方法及び装置に関し、より詳細には、ＦＢＭＣ／ＯＱＡＭと、チャネル推定性能を改善し、したがって全体的な送信性能を改善するプリコーディングの使用とに基づく送信方式に関する。
【背景技術】
【０００２】
フィルタバンクマルチキャリア（ＦＢＭＣ）オフセット直交振幅変調（ＯＱＡＭ）は、次のように簡潔に紹介することができる。すなわち、ＦＢＭＣ／ＯＱＡＭは、各サブキャリアがスタガードＯＱＡＭを用いて変調されるマルチキャリア変調方式である。複素数値シンボルを所与のシンボルレートで送信する従来のＯＦＤＭと比較すると、ＦＢＭＣ／ＯＱＡＭは、２分の１の情報ビット数を表す実数値シンボルを２倍のシンボルレートで送信する。これに基づくと、双方のメカニズムは、同じスペクトル効率を有する。しかしながら、ＦＢＭＣ／ＯＱＡＭは、サイクリックプレフィックス（ＣＰ）を追加することなく動作するので、より有用性の高いビットレートを提供し、したがって、より良好なスペクトル効率を提供する。
【０００３】
図１は、時間領域及び周波数領域におけるＣＰ−ＯＦＤＭシステム及びＦＢＭＣ／ＯＱＡＭシステムの信号構造を示している。ＣＰ−ＯＦＤＭの場合、シンボル継続時間がτ０であることを見て取ることができ、これは、ＣＰ−ＯＦＤＭがτ０ごとに複素数値を有することを意味する。他方、ＦＢＭＣ／ＯＱＡＭは、τ０／２ごとに実数値を有し、これはτ０／２のシンボル継続時間を意味する。サブキャリア間隔は、双方のシステムについてｆ０である。
【０００４】
加えて、時間領域及び周波数領域の双方における十分に局在化したフィルタを用いたパルス成形は、周波数オフセット並びにドップラ効果及び二重分散チャネルに対するより高いロバスト性を提供する。
【０００５】
しかしながら、これらの全ての利点は、複素場における直交性を実数場に緩和することを犠牲にして成り立ち、その結果、ＱＡＭの代わりにＯＱＡＭを用いることが必要になる。
【０００６】
図２は、ＣＰ−ＯＦＤＭ及びＦＢＭＣ／ＯＱＡＭのブロック図を示している。相違点は、ＣＰ−ＯＦＤＭにおける複素数値ＱＡＭシンボルと比較して、ＦＢＭＣ／ＯＱＡＭでは、ＩＦＦＴへの入力として実数値ＯＱＡＭシンボルを有することによって要約することができる。ｇｎ（ｔ）及びｆｎ（ｔ）は、それぞれ、送信機合成フィルタバンク（ＳＦＢ）及び受信機解析フィルタバンク（ＡＦＢ）におけるパルス成形関数を表している。ＦＢＭＣ／ＯＱＡＭの場合には、ＣＰが挿入されていないこともこれらの図から明らかである。
【０００７】
ＦＢＭＣ／ＯＱＡＭ変調では、連続時間ＦＢＭＣ／ＯＱＡＭ信号のベースバンドの式を以下のように記述することができる。
【数１】
0006001806.tif 000002
ここで、Ｍはサブキャリア数であり、
【数２】
0006001806.tif 000003
はサブキャリアの間隔であり、ｇはパルス形状であり、φｍ，ｎは追加のパルス位相である。ａｍ，ｎは、サブキャリアｍ及び時間ｎにおける実数送信シンボルを表す。
【０００８】
受信機側において受信信号をベースバンドにしたものは、以下のように記述することができる。
【数３】
0006001806.tif 000004
ここで、＊は畳み込み演算を示し、ｈ（ｔ）はチャネルインパルス応答であり、η（ｔ）は加法雑音である。
【０００９】
（ｍ０，ｎ０）における復調された受信信号は、次のように記述することができる。
【数４】
0006001806.tif 000005
ここで、Ｈｍ，ｎは、位置（ｍ，ｎ）におけるチャネルの複素応答を表し、
【数５】
0006001806.tif 000006
は、フィルタ特性を表す不確定性関数である。上記式から、ＦＢＭＣ／ＯＱＡＭシステムの実数直交性に起因して、内部干渉として知られているＡＦＢの出力における余分な雑音を有する虚数成分を見て取ることができる。
【００１０】
図３は、送信機及び受信機におけるＦＢＭＣ／ＯＱＡＭの時間格子及び周波数格子を示している。受信機において、位置（ｍ０，ｎ０）における送信実数データは、もはや実数値ではない。全ての周囲のデータシンボルが、虚数領域において干渉する。
【００１１】
復調信号の式は、以下の２つの有効な仮定を考慮に入れることによって単純化することができる。
・時間領域及び周波数領域の双方において十分に局在化したフィルタを用いると、内部干渉は、位置（ｍ０，ｎ０）の８つの直接の近傍からのみ来ると仮定することができる；
・チャネルは、位置（ｍ０，ｎ０）のこの近傍内では一定不変と仮定することができる。
【００１２】
そこで、上記式は、以下の式に単純化することができる。
【数６】
0006001806.tif 000007
【００１３】
図４は、８つの直接の近傍からの単純化した内部干渉を示している。
【００１４】
その実数直交性に起因して、ＯＱＡＭシンボルの検出は、以下の２つのステップで行われるべきである。
・チャネル等化、
・実部の取り出し。
【数７】
0006001806.tif 000008
【００１５】
これは、チャネル係数が受信機において知られている場合にしか有効ではなく、これは、現実のシステムには当てはまらない。チャネル係数を最初に推定しなければならない。
【００１６】
ＦＢＭＣ／ＯＱＡＭマルチキャリア変調方式のチャネル推定問題は、次のように説明することができる。すなわち、スキャッタードパイロットに基づく技法を用いてチャネル係数を推定するために、位置（ｍ０，ｎ０）における実数値パイロットが送信されるものと仮定する。この場合、受信機側における受信パイロットシンボルは、以下となる。
【数８】
0006001806.tif 000009
ここで、
【数９】
0006001806.tif 000010
は、受信機において知られている送信実数パイロットであり、
【数１０】
0006001806.tif 000011
は、周囲の送信データに依存したランダム値であるとともに受信機において知られていない内部干渉である。
【００１７】
コヒーレントチャネル推定を行うには、受信信号を送信パイロットによって除算する必要がある。
【数１１】
0006001806.tif 000012
【００１８】
この式を用いると、以下の２つの知見を認識することができる。
・コヒーレントチャネル推定は、受信機における未知のランダムな内部干渉
【数１２】
0006001806.tif 000013
に起因して行うことができない；
・もし、
【数１３】
0006001806.tif 000014
が受信機において知られている場合、擬似パイロット
【数１４】
0006001806.tif 000015
の電力が大きいほど、雑音の影響が低減されるので、チャネル推定の性能はより良好になる。
【００１９】
しかし、ＦＢＭＣ／ＯＱＡＭのチャネル推定の主な問題は依然として解決されていない。内部干渉は知られていない。したがって、チャネル推定は、単純な実施では行うことができない。
【００２０】
この問題に対処する提案は、非特許文献１及び２において行われている。
【００２１】
これらの非特許文献は、受信機におけるランダムな内部干渉を、例えば０のような１つの特定の値に強制的にすることによってこの問題に対処している。これは、周囲のシンボルのうちの１つをプリコーディングシンボルとして確保することによって行われる。そのため、この場合、データは、７つの周囲のシンボル上で送信され、８番目の周囲のシンボルは、受信機において内部干渉をキャンセルするプリコーディングシンボルとして用いられる。これは、図５に示されている。図５では、パイロットシンボル及びプリコーディングシンボルがマーキングされている。
【００２２】
周囲の７つのデータシンボルからの内部干渉は、以下のように記述することができる。
【数１５】
0006001806.tif 000016
【００２３】
受信機においてこの干渉をキャンセルするために、プリコーディングシンボルは、以下のように選択されるべきである。
【数１６】
0006001806.tif 000017
【００２４】
この方法を用いると、
【数１７】
0006001806.tif 000018
は、受信機において０に等しく、受信パイロットシンボルは、以下のように記述することができる
【数１８】
0006001806.tif 000019
【００２５】
既知のパイロット
【数１９】
0006001806.tif 000020
で除算することによって、チャネル係数
【数２０】
0006001806.tif 000021
を直接推定することができる。
【００２６】
この式から、次のことがわかる。すなわち、提案されたプリコーディングは、内部干渉が、送信機においてともに知られているデータ及び不確定性関数に依存しているので可能である。
【先行技術文献】
【非特許文献】
【００２７】
【非特許文献１】J.-P. Javaudin、D. Lacroix、及びA. Rouxel、「Pilot-aided channel estimation for OFDM/OQAM」、VTC Spring, 2003
【非特許文献２】C. Lele、R. Legouable、及びP. Siohan、「Channel estimation with scattered pilots in OFDM/OQAM」、SPAWC, 2008
【発明の概要】
【発明が解決しようとする課題】
【００２８】
しかしながら、このプリコーディング方式を用いると、パイロットシンボルを囲むデータシンボルの値に応じて、プリコーディングシンボルの送信電力が非常に高くなる可能性がある。
【００２９】
したがって、本発明の目的は、プリコーディングシンボルの送信の所要電力に対するより大きな柔軟性及びこの所要電力の制御を有することであり、例えば、プリコーディングシンボルを送信するのに必要とされる電力を削減する可能性を有することである。
【課題を解決するための手段】
【００３０】
１つの実施の形態によれば、マルチキャリア信号を送信する方法であって、
前記信号は、前記時間周波数空間におけるシンボルを含む前記オフセット直交振幅変調ＯＱＡＭのタイプであり、
前記シンボルは、
パイロットシンボルと、
プリコーディングシンボルと、
他のシンボルと、
のうちの１つであり、
該方法は、
前記パイロットシンボルが前記受信機によって受信されたとき、該パイロットシンボルの前記内部干渉が所定の離散値集合の中からの１つの値を有するように強制的にするよう前記プリコーディングシンボルが選択され、前記集合が、０と異なる少なくとも１つの要素を含む、
ことを特徴とする、方法が提供される。
【００３１】
この方法は、送信機及び／又は受信機にとって好ましくない場合がある１つの特定のプリコーディングシンボルを送信機に強制的に選ばせるのではなく、プリコーディングを選択及び決定する或る自由を送信機に可能にするという点において効果及び利点を有する。
【００３２】
１つの実施の形態によれば、前記シンボルは、実数値シンボルを変調することによって形成され、及び／又は前記内部干渉は、前記復調信号の虚部に対応する。
【００３３】
これは、複素数値シンボル、すなわち実部及び虚部を有するシンボルが送信されるシンボルレートの２倍で実数値シンボルの送信を行うことができるという点において効果及び利点を有する。
【００３４】
１つの実施の形態によれば、前記オフセット直交振幅変調は、フィルタバンクマルチキャリアオフセット直交振幅変調ＦＢＭＣ／ＯＱＡＭ又はＯＦＤＭ／ＯＱＡＭのうちの一方である。
【００３５】
これは、この送信方法がサイクリックプレフィックス（ＣＰ）の追加なしで動作し、したがって、従来のＯＦＤＭ送信よりも有用性の高いビットレートを提供し、したがって、より良好なスペクトル効率も提供するという効果及び利点を有する。
【００３６】
１つの実施の形態によれば、前記プリコーディングシンボルの前記選択は、次の基準、すなわち、
前記プリコーディングシンボルの前記送信電力が削減されることと、
前記パイロットシンボルの前記受信電力が増加されることと、
前記２つの基準の間のトレードオフと、
のうちの少なくとも１つに従って行われる。
【００３７】
これは、送信機が、プリコーディングシンボルを適切に選択する手段として、必要とされる送信電力、パイロットシンボルの受信電力、及び／又はそれらの双方の組み合わせを制御することが可能になるという点において効果及び利点を有する。したがって、この効果によって、更に、パイロットシンボルの受信を改善することができると同時に、送信電力消費が同じままであるか又は削減もされ、そのため、全体的な送信方法を従来の送信方法よりも電力効率よくすることができ及び／又は送信をより効果的にすることができる。
【００３８】
１つの実施の形態によれば、前記プリコーディングシンボルの前記選択が前記送信機によって行われる際に従う前記基準は、前記送信機と前記受信機との間でシグナリングされる。
【００３９】
これは、受信機が、送信機によって送信された基準を用いて内部干渉を決定することができるという効果及び利点を有する。これによって、受信機の受信手順が単純化される。
【００４０】
１つの実施の形態によれば、前記所定の離散値集合の前記構成は、前記送信機と前記受信機との間でシグナリングされる。
【００４１】
これは、受信機が、送信機と受信機との間でシグナリングされた所定の離散値集合を用いて内部干渉を決定することができるという効果及び利点を有する。これによって、受信機は、所定の離散値集合の中からの１つの値として内部干渉を決定することができるので、受信機の受信手順が単純化される。
【００４２】
１つの実施の形態によれば、前記所定の離散値集合は、複数の所定の値集合のうちの１つであり、前記集合の前記選択は、前記リンク状態に従って行われる。
【００４３】
これは、プリコーディングシンボルの選択が送信機によって行われる際に従う基準のシグナリングを、所定の集合のＩＤを送信することだけで効率的に行うことができるという効果及び利点を有する。さらに、リンク状態に従った所定の離散値集合の選択は、劣悪な及び／又は変化するチャネル状態及び干渉状態の下であっても、送信機側及び受信機側において、現在の干渉及びチャネル品質に従って送信方法を動的に採用及び最適化することができ、したがって、送信方法の効率、例えば、関連する電力を更に改善することができる。
【００４４】
１つの実施の形態によれば、前記リンク状態は、次のパラメータ、すなわち、前記送信機と前記受信機との間の信号対雑音比と、信号対干渉比と、チャネル品質インジケータとのうちの少なくとも１つを考慮に入れる。
【００４５】
これは、送信機が、送信機及び受信機に容易に入手可能である共通のチャネル品質インジケータを用いて、前述したようにプリコーディングシンボルの選択を制御し、送信機と受信機との間の通信リンクに好ましい電力特性及び送信特性を取得することができるという効果及び利点を有する。
【００４６】
１つの実施の形態によれば、前記複数の所定の値集合間の切り替えの前記方策は、前記リンク状態に従って前記送信機と前記受信機との間でシグナリングされる。
【００４７】
これは、複数の所定の値集合の中で送信機が選択した値集合のシグナリングが行われる頻度を少なくすることができるという効果及び利点を有し、例えば、シグナリングは、送信機が、リンク状態の変化を求めたことに応答し、それに応じてその選択を変更したときにのみ行われる。
【００４８】
１つの実施の形態によれば、プリコーディングシンボルは、前記時間周波数空間において前記パイロットシンボルを囲むシンボルの前記第１のリングに属する。
【００４９】
これは、時間領域及び周波数領域の双方において十分に局在化したフィルタを用いると、シンボルの内部干渉がシンボルの直接の近傍からしか来ないと仮定することができ、したがって、送信機側においては、プリコーディングシンボルの選択を介して、受信機において得られた内部干渉を制御することを単純化することでき、受信機自体においては、内部干渉を決定することを単純化することができるという効果及び利点を有する。
【００５０】
１つの実施の形態によれば、上記の実施形態のうちの１つによるマルチキャリア信号を送信する方法によって送信されたマルチキャリア信号を受信する方法であって、
チャネル推定が、パイロットシンボルに基づいており、
前記時間周波数空間内の座標ｍ０，ｎ０における受信された前記パイロットシンボルは、
【数２１】
0006001806.tif 000022
であり、ここで、
【数２２】
0006001806.tif 000023
は、前記送信された実数パイロット信号であり、Ｘは、前記内部干渉であり、
【数２３】
0006001806.tif 000024
は、加法雑音であり、
該方法は、チャネル推定が、以下のステップ、すなわち、
（ｉ）前記チャネルの電力を推定するステップと、
（ｉｉ）前記受信されたパイロットシンボルの電力を、該パイロットシンボルの電力をステップ（ｉ）の前記推定されたチャネルの電力によって除算することによって推定するステップと、
（ｉｉｉ）前記パイロットシンボルの虚部の値を、前記パイロットシンボルの前記既知の値
【数２４】
0006001806.tif 000025
と、ステップ（ｉｉ）の結果とに基づいて、所定の離散値集合の中からの１つの値Ｘとして認識するステップと、
（ｉｖ）前記チャネル係数
【数２５】
0006001806.tif 000026
を、前記受信されたパイロットシンボルに基づいて、前記式
【数２６】
0006001806.tif 000027
に従って推定するステップと、
によって実行されることを特徴とする、方法が提供される。
【００５１】
これは、パイロットシンボルの虚部についての正確な情報なしで、チャネル電力推定及び推定された受信パイロットシンボルの電力のみに基づいてチャネル係数を推定することができるという効果及び利点を有する。
【００５２】
１つの実施の形態によれば、この方法は、シンボルが、前記信号を複素数値シンボルに復調することによって形成されることを含み、及び／又は前記内部干渉は、前記復調信号の虚部に対応する。
【００５３】
これは、シンボルの実部及び虚部を内部干渉についての情報に基づいて区別することができるという効果及び利点を有する。
【００５４】
１つの実施の形態によれば、前記チャネルの電力
【数２７】
0006001806.tif 000028
は、前記パイロットシンボルを囲むデータシンボルの前記受信電力を平均することによって推定される。
【００５５】
これは、位置（ｍ０，ｎ０）における受信電力を正確に知る必要がなく、推定することができるという効果及び利点を有する。
【００５６】
１つの実施の形態によれば、前記受信されたパイロットシンボルの電力は、該パイロットシンボルの電力を、前記式
【数２８】
0006001806.tif 000029
に従って、ステップ（ｉ）の前記推定されたチャネルの電力によって除算することによって推定される。
【００５７】
これは、受信パイロットシンボルの電力を推定することができるという効果及び利点を有する。
【００５８】
上記実施の形態によるマルチキャリア信号を送信する方法及び受信する方法の１つの実施の形態によれば、前記パイロットシンボルの前記値及び前記時間周波数空間におけるロケーションは、前記マルチキャリア信号の受信を行うことを意図した少なくとも１つの受信機に知られている。
【００５９】
これは、送信機側及び受信機側において、パイロットシンボルの存在を、チャネル推定を行うことに利用することができるという効果及び利点を有する。
【００６０】
１つの実施の形態によれば、マルチキャリア信号を送信する装置であって、
前記信号は、前記時間周波数空間におけるシンボルを含む前記オフセット直交振幅変調ＯＱＡＭのタイプであり、
前記シンボルは、
パイロットシンボルと、
プリコーディングシンボルと、
他のシンボルと、
のうちの１つであり、
該装置は、
前記パイロットシンボルが前記受信機によって受信されたとき、該パイロットシンボルの前記内部干渉が所定の離散値集合の中からの１つの値を有するように強制的にするよう前記プリコーディングシンボルを選択するモジュールを備え、前記集合が、０と異なる少なくとも１つの要素を含む、
ことを特徴とする、装置が提供される。
【００６１】
１つの実施の形態によれば、前記装置は、上記実施の形態のうちの１つによる方法を実行するために１つの又は複数のモジュールを更に備える。
【００６２】
１つの実施の形態によれば、コンピュータプログラムであって、コンピュータ上で実行されると、該コンピュータが本発明の実施形態のうちの１つによる方法を実行することを可能にするコンピュータプログラムコードを含む、コンピュータプログラムが提供される。
【図面の簡単な説明】
【００６３】
【図１】時間領域及び周波数領域におけるＣＰ−ＯＦＤＭ通信及びＦＢＭＣ／ＯＱＡＭ通信の信号構造を示す図である。
【図２】ＣＰ−ＯＦＤＭマルチキャリア変調方式又はＦＢＭＣ／ＯＱＡＭマルチキャリア変調方式を実行するためのシステムのブロック図である。
【図３】時間領域及び周波数領域におけるＦＢＭＣ／ＯＱＡＭマルチキャリア変調方式のシンボルを示す図である。
【図４】シンボルの８つの直接の近傍からの単純化された内部干渉を示す図である。
【図５】パイロットシンボルの８つの直接の近傍からの単純化された内部干渉を有する送信機及び受信機におけるパイロットシンボル及びプリコーディングシンボルを含むシンボルを示す図である。
【図６】パイロット位置における内部干渉を所定の離散値集合の中からの値に強制的にするプリコーディングシンボルを有する概略的な信号構造を示す図である。
【図７】データの信号対雑音比（ＳＮＲ）に対する種々のチャネル推定方式のチャネル推定性能の平均二乗誤差（ＭＳＥ）評価を示す図である。
【図８】送信シンボルプリコーディングのＳＮＲに対する種々のチャネル推定方式のチャネル推定性能のＭＳＥ評価を示す図である。
【発明を実施するための形態】
【００６４】
最初に、この説明において用いられる幾つかの用語を以下の省略形のリストに定義する。
ＣＰ−ＯＦＤＭ    サイクリックプレフィックス直交周波数分割多重化
ＦＢＭＣ    フィルタバンクマルチキャリア
ＯＱＡＭ    オフセット直交振幅変調
ＳＦＢ      合成フィルタバンク
ＡＦＢ      解析フィルタバンク
ＳＮＲ      信号対雑音比
ＭＳＥ      平均二乗誤差
【００６５】
以下に、本発明の実施形態を説明する。
【００６６】
１つの実施形態では、従来技術との相違は、少なくとも、受信パイロットのランダムな虚部が可能値集合の中からの１つとなるようにプリコーディングシンボルを選択することにある。そのため、パイロット位置における内部干渉を強制的に０にするのではなく、１つの実施形態によれば、この内部干渉を強制的に値Ｘにし、このＸは、送信機が値集合｛α１，α２，α３，．．．｝から選択することが提案される。
【００６７】
しかし、Ｘの値は、受信機側において知られていないので、チャネル推定を実行する前に推定しなければならない。
【００６８】
本発明の１つの態様によれば、プリコーディングシンボルは、受信パイロットの内部干渉が離散値集合の中からの１つの値に強制的にされるように、送信機側において選択される。
【数２９】
0006001806.tif 000030
【００６９】
このプリコーディングシンボルは、以下のように記述することができる。
【数３０】
0006001806.tif 000031
【００７０】
受信機において、受信パイロットシンボルは、以下のように記述することができる。
【数３１】
0006001806.tif 000032
【００７１】
図６は、パイロット位置における内部干渉を値Ｘ∈｛α１，α２，α３，．．．｝に強制的にするプリコーディングシンボルを有する概略的な信号構造を示している。
【００７２】
これらの２つの式から、プリコーディングシンボルの選択が少なくとも以下の２つの効果を有することを得ることができる。
・送信機におけるプリコーディングシンボルの送信電力が影響を受ける；
・受信機における受信パイロットシンボルの電力が影響を受ける。
【００７３】
換言すれば、送信機側におけるＸ∈｛α１，α２，α３，．．．｝の選択は、
・プリコーディングシンボルの送信電力を最小にするか、又は
・受信パイロットシンボルの電力を最大にするか、又は
・上記２つの効果の間のトレードオフを得るか、又は
・他の任意の基準を満たす、
ために行うことができる。
【００７４】
受信機側では、Ｘの値は知られておらず、したがって、チャネル推定を直接行うことができない。しかしながら、Ｘの値は、３つのステップを通じて容易に推定することができる。受信パイロットの式を再び記載すると、以下のとおりである。
【数３２】
0006001806.tif 000033
・ステップ１：受信機は、パイロット位置の周囲のデータシンボルの受信電力の平均をとることによってチャネル
【数３３】
0006001806.tif 000034
の電力を推定することができる。
・ステップ２：受信機は、受信パイロットシンボルの電力をステップ１からのチャネルの推定電力によって除算することによって、送信パイロットシンボルの電力を推定する。
【数３４】
0006001806.tif 000035
【００７５】
ここで、
【数３５】
0006001806.tif 000036
は受信機において知られているので、Ｘの推定値が得られる。
・ステップ３：受信機は、以下のチャネル係数を推定する。
【数３６】
0006001806.tif 000037
【００７６】
異なる所定の離散値集合｛α１，α２，α３，．．．｝，｛β１，β２，β３，．．．｝，｛δ１，δ２，δ３，．．．｝，．．．を定義して、シグナリングによって送信機と受信機との間で交換することができる。
【００７７】
送信機は、システムステータス、例えば信号対雑音比（ＳＮＲ）に従って、１つの所定の離散値集合を選択する。これは、異なるＳＮＲの範囲には、異なる所定の離散値集合を用いることができることを意味する。送信機は、どの所定の離散値集合が用いられているのかを受信機にシグナリングしなければならない。
【００７８】
単純化されたシステムモデルを用いて、上記に説明したチャネル推定を実行する新規な方法及び技法を従来技術と比較することにする。
【００７９】
図７は、ｄＢでのデータのＳＮＲに対する、上記に説明したチャネル推定を実行する新規な方法及び技法のチャネル推定性能の平均二乗誤差（ＭＳＥ）を従来技術と比較して示している。破線のプロットは、受信パイロットの内部干渉が０に強制的にされる従来技術のチャネル推定を表している。実線のプロットは、選択されたＸの値が受信機において知られている、チャネル推定を実行する新規な方法及び技法を表している。このシミュレーションでは、Ｘの値は、プリコーディングシンボルの送信電力を最小にするように選択されている。これらの２つのプロット間の約２ｄＢの利得は、パイロットシンボルの受信電力がより高いことに起因している。
【００８０】
点線のプロットは、受信機においてＸの推定を用いてチャネル推定を実行する新規な方法及び技法を表している。高いＳＮＲ値では、提案した解決策が、従来技術のチャネル推定よりも性能が優れている。しかしながら、シミュレーションパラメータはヒューリスティックに選択されているので、低いＳＮＲでは、性能は劣化する。例えば、チャネル状態に対するＸ用の値集合を採用することによって、性能は、低いＳＮＲについても改善する。
【００８１】
図８は、送信プリコーディングシンボルのＳＮＲに対するＭＳＥのプロットを示している。チャネル推定を実行する新規な方法及び技法は、従来技術のチャネル推定よりも常に性能が優れており、利得は、最大で約８ｄＢにまで達することができる。
【００８２】
所与のデータのＳＮＲについて、新規なものと従来技術によるものとの双方のチャネル推定方法及び技法についてのプリコーディングシンボルの送信電力及びパイロットシンボルの受信電力が比較される。以下の表は、この比較を示している。
【００８３】
【表１】
0006001806.tif 000038
【００８４】
チャネル推定を実行する新規な方法及び技法は、プリコーディングシンボルの送信電力を削減すると同時に、チャネル推定性能を改善するパイロットシンボルの受信電力を増大させることを明らかに見て取ることができる。
【００８５】
要約すると、チャネル推定を実行する新規な方法及び技法の利点は、次のように述べることができる。
・チャネル推定を実行する新規な方法及び技法は、より低いＭＳＥを達成することができるので、従来技術のチャネル推定技法よりも性能が優れている。
・チャネル推定を実行する新規な方法及び技法は、プリコーディングシンボルの送信電力の削減を達成することができる。
・チャネル推定を実行する新規な方法及び技法は、受信パイロットシンボルの電力を増大させることができ、したがって、全体的なチャネル推定性能を改善することができる。
【図１】
0006001806.tif 000047
【図２】
0006001806.tif 000048
【図３】
0006001806.tif 000049
【図４】
0006001806.tif 000050
【図５】
0006001806.tif 000051
【図６】
0006001806.tif 000052
【図７】
0006001806.tif 000053
【図８】
0006001806.tif 000054